(57)【要約】【課題】採血で必要な血液量を確保するために毛細血管密度の高い被採血部位を肉眼で皮膚を通して目視することは難しく、血管検知を行うシステムは大掛かりであり、検知準備の位置決めや調整等の繁雑な作業があり、ハンドキャリで容易には採血できない。【解決手段】ホルダ部内に採血部及び真空採血管を移動可能に嵌装し、フード部を被採血対象の生体に当接させて真空採血管の後端部への押し入れにより、採血部の微細針が生体に穿刺された後、連結部が真空保持部材を貫通し、毛細血管から吸引した血液を貯留する採血装置である。【選択図】      図３
2008099991.tif 000002
【特許請求の範囲】
【請求項１】
被採血部位に挿入され、当該被採血部位から採血された血液を採血管へ導く採血針と、
前記被採血部位に光を照射し、その反射光から得られた検査領域内を占める血管が存在する領域を血管の密集度として検出する血管検出部と、
前記採血針と前記血管検出部とを保持し、当該採血針と当該血管検出部との位置関係を固定する固定部材と、
を有することを特徴とする採血装置。
【請求項２】
前記採血針は、複数の中空針を有し、
前記被採血部位は、前記複数の中空針が挿入される範囲であることを特徴とする請求項１に記載の採血装置。
【請求項３】
前記被採血部位は、前記血管検出部が前記血管の密集度を検出する範囲と等しい、または当該範囲を含むことを特徴とする請求項１に記載の採血装置。
【請求項４】
前記血管検出部が検出した前記密集度が予め定めた設定値以上であるか否かを判定する判定部と、
前記判定部において判定された結果を告知する告知部と、
をさらに有することを特徴とする請求項１に記載の採血装置。
【請求項５】
前記採血針は、毛細血管へ挿入されることを特徴とする請求項１に記載の採血装置。
【発明の詳細な説明】
【技術分野】
【０００１】
本発明は、人間、動物等の生体から血液を採取する際に用いる採血装置に関する。
【背景技術】
【０００２】
従来より、血液検査を行うための採血に際して、開口部に栓体が気密状態に嵌合された真空採血管が使用されている。真空採血管の採血時には、まず、採血管ホルダに採血針としてマルチプル注射針を取り付け、採血針の先端部を血管内に刺した後、真空採血管を採血管ホルダ内に差し込み、採血針の後端部で、真空採血管の採血管本体に嵌合された栓体を刺し貫くことにより、血管内と採血管本体内とを直結させる。
【０００３】
この採血管本体内は、減圧状態に保たれているため、血液が採血管本体内に吸入されて採血が行われる。次いで所定量の血液を採血した後、真空採血管を採血管ホルダ内から後退させ、採血針の後端部を栓体から抜くことにより、採血を終了する。
【０００４】
また近年、血液内の物質の検出技術の進展にともなって、血液検査時に要する採血量は微量でその目的を達成する事が出来るという事例が多くなっている。数マイクロリットル程度の微量採血については、先端の開口径及び外形が微小（直径が約２０μｍ）なガラス製のマイクロピペットを用いて行う方法がある。
【０００５】
採血は、毛細血管にこのマイクロピペットを差し込んで行い、皮膚表面を顕微鏡で観察し、動脈と静脈の間を結ぶ毛細血管を画面上で観察しながら、前述したマイクロピペットを位置決めをして、差し込んでいた。皮膚下（生体下）の痛点は、まばらに存在するため、マイクロピペットのように微小な径のものが差し込まれても痛さを感じない。このようにして、無痛で、微量の採血を実施している。例えば、特許文献１によれば、微小径の中空針を複数備えた多針構造体と、中空針内の圧力を変化させる圧力可変手段とで構成される採血装置が開示されている。この多針構造体は、高コストとなる半導体製造技術を用いて製作されている旨が記述されている。
【０００６】
具体的には、この採血装置は、空洞構造と複数の微小径の中空針を有する多針構造体とメンブレンと保持機構とマイクロヒータとから構成されており、採血装置を人間が把持しやすいように支持体を設けている。これらの多針構造体とメンブレンは一体形成されており、保持機構は多針構造体を保持している。また、メンブレンは２層構造となっており、中空針側の層がシリコン（Ｓｉ）で形成され、逆側の層が金（Ａｕ）で形成されている。このような装置において、中空針を皮膚表面から穿刺する。その後、マイクロヒータ３から熱を発生させると、メンブレンは空洞構造の容積を増加する方向に変形し、空洞構造及び中空針内の減圧力によって血液を採取することができる。よって、皮膚表面の観察装置、マイクロピペットの位置決め装置等の高価で大型な機構を必要とせず、小型、低価格でありかつ微量な採血を無痛ですることが可能な採血装置を提供するというものである。
【特許文献１】特許第３５９０８０５号
【特許文献２】特開平８−１６４１２４号公報
【発明の開示】
【発明が解決しようとする課題】
【０００７】
採血するにあたって、種々の生化学検査を行うためには、必要な血液量を採取しなければならない。このため、毛細血管密度の高い部位をねらって穿刺することが有効であるが、特に初心者にとっては、肉眼により被採血者の血管密度の高い部位を皮膚を通して目視で確認することは難しい。
【０００８】
そのため、例えば特許文献２には、近接外光を用いて血管を検出する方法が開示されている。しかしこの検知方法を実施するには、モニタ等の各構成部材を配置するなど、システムが大掛かりとなり、また検知を行うにあたってシステムのそれぞれの構成部位をあらためて位置決めや調整等の作業が必要となるため、煩雑さが生じている。
【０００９】
そこで本発明は、前記の課題に鑑みてなされたもので、毛細血管を簡単に検出でき、容易に血液採取可能な採血装置を提供することを目的とする。
【課題を解決するための手段】
【００１０】
上記目的を達成するために本発明は、被採血部位に挿入され、当該被採血部位から採血された血液を採血管へ導く採血針と、前記被採血部位に光を照射し、その反射光から得られた検査領域内を占める血管が存在する領域を血管の密集度として検出する血管検出部と、前記採血針と前記血管検出部とを保持し、当該採血針と当該血管検出部との位置関係を固定する固定部材と、を有する採血装置を提供する。
【発明の効果】
【００１１】
本発明によれば、採血装置に血管検出部を一体に搭載しているため、使用者の簡便性を有し、毛細血管の集積度が高い表皮下を検出して多量の血液採取可能な採血装置を提供することができる。
【発明を実施するための最良の形態】
【００１２】
以下、図面を参照して本発明の実施形態について詳細に説明する。  
図１は、第１の実施形態に係る採血装置の全体構成例を示す断面図である。ここでは、採血装置が生体表面付近に存在した毛細血管から血液を採取する様子を示している。
【００１３】
本実施形態の採血装置は、真空採血管１、真空保持部２及び採血部３で構成される。真空採血管１は、例えば試験管形状や筒形状を成す容器であり、採血状態が外側から視認できるように全部又は一部（窓部）が透明材料により形成されている。材質としては、ガラス又は樹脂材料等が好ましく、樹脂材料としては、ポリエチレンテレフタレート、ナイロン（登録商標）、ポリプロピレン若しくは、ポリエチレンが好適する。尚、ガラスを用いた場合には、落下等の外部からの衝撃に対して損傷しづらい強度や厚さを有することが望ましい。また、樹脂又はガラスに加えて、種々の金属薄板を用いた複合構造であってもよい。後述する保管ケースにおける温度調節の際に熱伝導をよくするために、例えば、樹脂又はガラスにより内部容器を形成し、アルミニウム等からなる金属ケースを必要な部分に外装する構造などが考えられる。また、図示していないが真空採血管１の側面又は窓部には、採血した血液量を目分量で量るための目盛りが振られている。
【００１４】
真空保持部２は、真空採血管１の真空度を維持するために、真空採血管１の開口部を密閉する栓部材である。この栓部材は例えば、天然ゴム、ブチルゴム、塩素化ブチルゴム、臭素化ブチルゴム等のゴム材料により一体成形されている。本実施形態の真空保持部２は、上部側面の一周に亘りつば部が設けられ、上面の略中央から内部に向かう漏斗形状に形成され、その凹底部が薄肉となっている。真空保持部２はつば部まで真空採血管１に挿嵌される。その他にも、真空保持部２は、ある程度の弾性を有する樹脂材料により形成することは可能である。さらに、外側が金属キャップで内側がゴムキャップの複合構造でもよい。この複合構造の場合、後述する中空針が貫通する箇所はゴムキャップ部分が露呈する。
【００１５】
真空採血管１に真空保持部２が挿嵌されて、真空吸引機構を構成する。真空採血管の内部は大気圧よりも減圧されている。尚、この真空吸引機構における吸引力は、真空採血管１内の真空度に依存する。しかし、同じ真空度であっても真空採血管１の内容積や後述する微細針や中空針の内径により吸引力が異なっているため、一義的に真空度は設定されていない。この真空度は、採血に掛かる時間や血液の成分に損傷を与えないように、設計やシミュレーション又は、測定により適宜設定される。
【００１６】
採血部３の台座５の１つの端面（図１においては、上面とする）には、被採血部位に挿入される複数の中空の微細針（例えば、注射針）６が略鉛直方向で一列に配設される。この台座５は、中空構造であり、それぞれの微細針６の中空と連通し、後述する真空採血管１へ血液を送り出す連結部として機能している。台座の他方の端面（図１においては、底面とする）には、微細針６よりも少ない数であって真空保持部２の凹底部に穴を空けるための微細針６よりも太い中空針７が形成される。図１においては中空針は１本形成されている。この中空針７は、台座５の中空と中空針７の内部空間とが連通している。つまり、採血部３は、台座５を挟み、微細針６と中空針７が空間的に連通する構造である。
【００１７】
微細針６は、生体に対して安全性の高い材質、例えば、ステンレス、チタン、マグネシウム合金等の金属又は、生体分解性樹脂材料等で形成されている。本実施形態における微細針６の外径は、φ１００μｍ以下とし、生体表面の痛点に対して、比較的に接しない大きさとする。また、微細針６の内径は例えば、φ５０μｍ以上とし、赤血球の大きさ（φ１０〜２０μｍ）の約２倍以上の穴径とする。これは、血液を吸引する際に血液内の赤血球等の成分（細胞）に損傷を与えない十分に大きい内径を有し、溶血現象を発生させないことを考慮するものである。この微細針６の内径の断面積の総和は、中空針７の最も細い部分の内径の断面積の総和よりも小さくなっている。これは、中空針７内を流れる血液の移動速度（流速）を微細針６内を流れる血液の流速よりも遅くしてやることで、溶血現象が発生しないように考慮している。また。微細針６の長さは３ｍｍ以上とし、皮膚表層下の毛細血管に到達できる長さとする。後述する図１２乃至図２２において詳細に説明するが、微細針先端は、４５度又は３０度程度に切断されており、生体表面被採血部位となる生体表面（皮膚表面）に侵入しやすい形状となっている。また微細針は、一列に配置するだけでなく、複数本を束として配置してもよい。
【００１８】
また、台座５の底面には、真空保持部２と安定して支持されるように、中空針７に嵌装されるガイド部４が設けられている。ガイド部４は、樹脂材料又はゴム材料により形成されている。中空針７の先端は、絞られた構造となっている。以降に説明する実施形態及び変形例における中空針についても同じ構成を有しているものとする。
【００１９】
このように構成された採血装置は、採血部３の微細針６を、生体表面９例えば、皮膚下の毛細血管１０に刺した後、中空針７を真空保持部２の凹底部を貫通させる。貫通されると、真空採血管１と真空保持部２による吸引機構により、毛細血管１０から血液が吸引され、真空採血管１内に採血される。
【００２０】
そして採血後、太い中空針は真空採血管の真空保持部（ゴム栓）より除去されるが、ゴム栓の凹底部には、刺し穴の痕跡が残る。液体を外部に放出する事は無いが、微視的には、真空採血管内に外部の空気が微小量流入して真空採血管内部の圧力はほぼ大気圧に達する。後述する採血管保管容器を用いずに真空採血管を輸送する場合には、別途、密閉用のキャップを用意してもよい。
【００２１】
以上説明したように本実施形態によれば、複数の微細針６を用いて採血しているため、生体表面の痛点に接する可能性が低減する。よって、従来の１本の注射針による採血に比べて、採血される者（被採血者）の痛みを軽減することができる。複数の微細針により採血を行っているため、一本の微細針６が血液成分により詰まりを生じても、採血に影響を与える事が少ない。また、微細針６の本数に応じて、時間あたりの採血量が増減されるため、微細針６の本数を調整することにより、短時間で採血を終了させることができる。
【００２２】
さらに、皮膚下の毛細血管１０から採血するため、従来のように静脈血管を探す等の行為は必要なく、採血を行う者（採血者）の熟練度に左右されることが少なくなる。本実施形態の採血装置は、被採血者が自分自身で採血を行う場合も想定している。特に、採血対象が動物等であった場合、体表面の毛等により、静脈を探すことが困難であるため有用である。
【００２３】
また、微細針内部の径は赤血球の大きさに比較して、十分大きい径であるため、溶血現象が発生しづらい。微細針内の血液の流入速度は、溶血現象が発生しない速度に真空採血管内の真空度を設定することで調整することができる。また、吸引機構に連結している限り、空気に血液が触れないため、血液が固まることなく、長時間採血し続けることが可能となり、容易に血液を採取することが可能になる。
【００２４】
次に、第２の実施形態について説明する。  
図２に示す採血装置は、真空採血管１と採血部３とを連結保持部１３で連結した構成である。本実施形態の採血装置の採血部３は、複数の微細針６が配設された台座５に、中空針７に嵌装するキャップ形状のガイド部１２が設けられている。真空保持部１１は、中空針７が貫通した後に、ガイド部１２の縁に挿嵌されるようにつば部の張り出しが形成されている。
【００２５】
さらに、真空採血管１の上側外周面とガイド部１２の外周面を連結するように、ベローズ形状の連結保持部１３が設けられている。この連結保持部１３は、金属薄板、ゴム材料又は樹脂材料により形成されている。
【００２６】
本実施形態の採血装置によれば、第１の実施形態の効果に加えて、真空採血管１と採血部３とが一体的に構成されるため、採血行為が容易になる。つまり、採血部３で穿刺しつつ、真空採血管１を支える必要が無く、片手で採血を行うことができる。また、連結保持部１３を設けたことにより、採血時に外部からの塵や埃が中空針７に付着せず衛生的に扱うことができる。
【００２７】
次に、第３の実施形態について説明する。  
図３（ａ）乃至図３（ｄ）に示す本実施形態の採血装置は、真空採血管を保持するホルダを兼用する連結保持機構を有している。ここで、本実施形態の構成部位において、前述した図１に示す構成部位と同等のものには同じ参照符号を付して、その説明を省略する。
【００２８】
図３（ａ）に示す採血装置は、側面外周につば部２２が設けられ真空保持部１１が挿嵌された真空採血管２１と、採血部３と、真空採血管２１及び採血部３を挿嵌するガイド穴を備え、真空採血管２１と採血部３とをガイド穴の長手方向に移動可能に保持するホルダ部２３と、真空採血管２１のつば部２２とガイド穴内の段差部２３ａに接して配置され、弾性力を有する連結保持部２４と、微細針６の周囲を覆い且つ移動する微細針６が外部に進出できるように進出用孔が開口され、ホルダ部２３に取り外し可能に固定されるフード部２５とで構成される。
【００２９】
採血部３は、前述した微細針６と台座５と中空針７とガイド部１２とで構成される。ガイド部１２の上端に形成されるつば部は、ガイド穴に対して採血部３の移動を制限するストッパとして機能する。また、フード部２５は、頂部がカットされた円錐形状を成し、微細針６を内部に収容して針先を保護している。フード部２５は、微細針６の進出状態が視認できるように、透明な樹脂部材で構成される。
【００３０】
通常状態（例えば、保管時や輸送時）の採血装置は、図３（ａ）に示すように、微細針６がフード部２５から外部に進出しないように、ガイド部１２がホルダ部２３に引き付けられて保持されている。その構成例としては、ガイド部１２を磁性を有する材料で形成し、ガイド部側面と対向するガイド穴の箇所にマイクロ磁石２６を配設することにより、磁力により保持させてもよい。その他には、ガイド部１２の外側からガイド部側面を貫通する小径の穴を開けて、ストッパ棒を差し込んで保持させる構造でもよい。この構造の場合、使用する際には、ストッパ棒を引き抜き、ガイド部１２をフリー状態にする。
【００３１】
このような構成において、真空採血管２１の外径及びガイド部１２の内径は、真空採血管２１がガイド穴内をスムーズに移動できるような寸法で形成されている。連結保持部２４は、ゴム材料等の弾性部材により、ベローズ形状に形成される。他にも連結保持部２４は、等間隔に配置された複数本のスプリングコイル又は、真空採血管２１を嵌装する径を有する１本のスプリングコイルで構成されてもよい。図３（ａ）においては、連結保持部２４が伸びた状態が通常状態である。この時、真空採血管２１の底部は、ホルダ部２３より下方に張り出し、真空採血管２１をガイド穴の長手方向に移動させる際の作用点（押出し箇所）となっている。本実施形態において、ガイド穴の長手方向、微細針６の進出方向、中空針７が真空保持部１１を貫通する方向、及び真空採血管２１の移動方向は、同じ軸方向である。
【００３２】
次に、図３（ｂ）乃至図３（ｄ）を参照して、本実施形態の採血装置による採血動作について説明する。
【００３３】
まず、図３（ｂ）に示すように、皮膚９の採血箇所にフード部２５の先端が当接するように採血装置を宛がう。続いて、指で真空採血管２１底部をホルダ部２３内に押し込むと、ガイド部１２の磁力による保持状態が解除され、中空針７が真空保持部１１の凹底部に当接した状態で採血部３が移動される。この移動に伴い、図３（ｃ）に示すように、微細針６がフード部２５より進出して皮膚９へ穿刺する。この時、微細針６の先端径は十分細いため、皮膚９への穿刺抵抗は、中空針７が真空採血管１１の凹底部を突き破る抵抗よりも小さい。その後、連結保持部２４が縮み、予め設定した位置即ち、微細針６の先端が毛細血管に到達した位置で穿刺が停止する。勿論、予め定めた生体内の深さで穿刺動作を停止させるための穿刺停止機構を設けてもよい。穿刺停止機構としては、例えば、図２２に示すような台座５上で微細針６の近傍に、穿刺の深さに相当する長さが微細針６よりも短いストッパ部材を台座５上に設ける構成が考えられる。
【００３４】
次に、図３（ｃ）に示す状態から、さらに真空採血管２１の底部を押し込むと、太い中空針７が真空保持部１１の凹底部のゴム部分を破り貫通して、図３（ｄ）のように、真空採血管１内に中空針７の先端が挿入される。真空採血管１内は真空状態であるため、中空針７から台座５を介して微細針６に吸引力が働く。この吸引力により毛細血管１０から採血が開始され、血液が真空採血管２１内に貯留される。そして、真空採血管２１内の真空度が低下して、自動的に採血動作が終了する。
【００３５】
また、採血後に、真空採血管２１をホルダ部２３から回収する際には、次のような専用の蓋の使用が考えられる。この専用蓋は、進出用孔に嵌り込む形状、例えば、円周面が凹溝となっているプーリに類似した円盤形状が想定される。使用方法としては、フード部２５の進出用孔からゴム製又はコルク製の専用蓋（図示せず）を宛がい、治具例えば、樹脂棒で専用蓋をフード部内に押し込むことで、専用蓋に微細針６を十分に突き刺す。その後、ホルダ部２３からのフード部２５の取り外しと同時に、使用した微細針６を含む採血部３が、ホルダ部２３から取り外される。
【００３６】
以上説明した本実施形態の採血装置によれば、採血者は、片手で採血装置を把持し、例えば、ボールペン頂部のプッシュボタンを押下すると同様に、親指で真空採血管１の底部を押し込むだけのワンアクション操作により、穿刺及び採血を完了させることができる。
【００３７】
また片手操作で採血が行われるため、例えば、採血者が被採血者を空いている他方の片手で押えることができるため、被採血者が小児や動物であっても安全を確保しつつ、採血することが可能となる。
【００３８】
さらに採血前及び採血後は、微細針６がフード２５部内に格納されているため、採血者の針への誤接触が防止でき、非常に安全性が高い。フード部２５が先端に向かって細くなるテーパー形状に形成されているため、動物等の体毛等が多い生体表面では、毛を避けながら微細針６を生体表面に刺すことができる
また、採血後には、フード部２５に専用蓋（図示せず）を取り付けることによって、ホルダ部２３からフード部２５を取り外すと同時に、採血部３をホルダ部から取り外す場合には、使用した微細針６が採血者又は検査者に触れることなく、容易に回収及び廃棄することができ、血液による感染が防止できる。また、ホルダ部２３に新たな未使用の採血部３及びフード部２５を取り付けることにより、再利用できるため、ランニングコストの低減が実現できる。
【００３９】
次に、第４の実施形態について説明する。
【００４０】
図４には、採血部３の構成例を示す。前述した実施形態では、採血部３は、複数の微細針６と台座５と１本の太い中空針７とで構成されていたが、本実施形態では、複数本の採血針を用いた構成である。
【００４１】
図４に示すように、採血部３は、複数の採血針３２が中空ではない台座３１に貫通して配置されている。採血部３は、採血針３２が直接真空採血管１及び真空保持部２により構成される吸引機構に連結する。
【００４２】
また本実施形態の採血針３２は、複数の中空針３２ｂが設けられているため、真空保持部２は、中空針３２ｂが貫通する領域内を全て薄肉にしている。この肉薄処理により真空保持部２の栓としての強度が持てない場合には、前述した外側が金属キャップで内側がゴムキャップの複合構造を用いればよい。
【００４３】
本実施形態によれば、採血部３における台座３１の構造と連結部分の構造が簡単になり、容易に作製することが可能で、製造コストを安価に提供することが可能となる。
【００４４】
次に、第５の実施形態について説明する。  
図５には、外部吸引機構が接続される真空採血管を備える採血装置の構成例を示す。
【００４５】
本実施形態の採血装置は、前述した実施形態では、真空採血管１と真空保持部１１により構成される吸引機構であったが、本実施形態は、真空採血管に変えて採血管１５を使用し、図５に示すように採血管１５に対して着脱可能な吸引用接続具３４を介して吸引ポンプ３３に接続する構造である。
【００４６】
この吸引ポンプ３３は、駆動機構として、電磁力、形状記憶合金、圧電、静電力、熱膨張又は人口筋肉等で構成することができ、吸引可能であれば特に限定されない。使用方法としては、吸引ポンプ３３により採血管１５内を真空状態にした後、吸引用接続具３４を抜き、採血に使用する。
【００４７】
本実施形態によれば、真空採血管は、内部の真空度が少しずつリークして低下するため、一定期間内に使用する必要があるが、本実施形態のように、採血直前に吸引ポンプを用いることで、使用期限が限定されなくなる。
【００４８】
次に、第６の実施形態について説明する。  
図６に示す本実施形態の採血装置は、真空採血管１内に血液から血球を分離するためのフィルタが設置された構成である。本実施形態の構成部位において、前述した第１の実施形態（図１）と同等の構成部位においては、同じ参照符号を付して、その詳細な説明は省略する。
【００４９】
本実施形態の採血装置は、真空採血管１、フィルタ部３６、真空保持部３７及び採血部３で構成される。これらのうち、真空保持部３７は、真空採血管１内の真空度を維持するために、真空採血管１の開口部を密閉する栓部材である。採血部３は、微細針６と台座５と中空針７とで構成され、台座５を挟み微細針６と中空針７が空間的に連通する。
【００５０】
フィルタ部３６は、円柱枠形状のフィルタ支持部３５とフィルタ部３６とで構成される。フィルタ支持部３５は、真空採血管１の側面に固着される円筒部３５ａと一方の端面（ここでは底部）の穴板３５ｂとで構成される。真空採血管１と真空保持部３７との間にフィルタ支持部３５が挟着されている。
【００５１】
フィルタ部３６は、真空採血管１と同じ材料を用いて形成される。図７（ａ），（ｂ）に示すように、フィルタ支持部３５の穴板３５ｂには、血漿もしくは血清が通過するためのφ１ｍｍ程度の多数の穴が開けられている。フィルタ部３６は、穴板３５ｂの上方に複数のフィルタ部３６ａ，３６ｂ，３６ｃが積層して構成されている。以降に説明する実施形態及び変形例におけるフィルタ部は同じ構成であるものとする。
【００５２】
フィルタ部３６は、無機質繊維により構成されている。血液に対する凝固性能は、表面積に比例し、その平均繊維径が小さいものの方が少ない量で凝固性能を発揮することができ、平均繊維径が１〜５μｍであるものが好ましい。また、無機質繊維には、その耐水性が高くないと、成分が血漿もしくは血清中に溶け出し、検査を妨害することがあるため、耐水性の高い例えば硝子繊維やロックウールが使用することができる。この他にも、膜厚さ方向に数百ｎｍの無数の穴が形成されたアルミナの多孔質構造体シート等を多数積層して用いてもよい。
【００５３】
本実施形態において、重力による自重作用やフィルタ部の毛細管現象により、血液中の構成成分の内、血漿又は血清のみがフィルタ部３６内を通過し、穴板３５ｂより採血管本体下部に滴下し、血球はフィルタ部３６上に残される。尚、フィルタ部３６内全体に血液が浸透すると、見かけ上、穴板３５ｂの上部空間と下部空間では真空度に差が生じる。上部空間では、血液の吸引により真空度がその体積に応じて低下し、下部空間よりも真空度が大気圧側に移行する。このため、上部空間の血液は下部空間に向かい移動する現象が発生する。よって、遠心分離機を使用しなくても、時間経過とともに、上部空間の血液は分離され、下部空間に血漿又は血清が貯留できる。また、採血後、太い中空針は真空採血管の真空保持部（ゴム栓）より除去されるが、ゴム栓の凹底部には、刺し穴の痕跡が残る。液体を外部に放出する事は無いが、微視的には、真空採血管内に外部の空気が微小量流入する。このため、時間経過とともに、上部空間内に外部の空気が流入し、上部空間の真空度を大気圧に戻していく。このため、下部空間との間に圧力差を生じ、採血が完了し太い中空針を除去しても、血液の血球分離は継続される。また、上部空間と下部空間との間に圧力差が生じていない場合であっても、血液に重力がかかることで時間経過とともに自然に血球分離が行われる。
【００５４】
このように構成された本実施形態によれば、真空採血管１内に血球分離フィルタを配置することにより、採血した血液から容易に且つ直後に血球を分離できるため、すぐに検査に移行することができる。また、第３の実施形態における真空採血管に本実施形態のフィルタ部を配設すれば、ワンアクション操作にて穿刺から血球分離まで自動的に行うことが可能となるため、採血者等に対して血液付着等の危険が解消される。
【００５５】
次に、前述したフィルタ部を用いた採血装置の変形例について説明する。  
図８（ａ），（ｂ）は、第１の変形例を示す。この第１の変形例の構成部位において、前述した第１及び第３の実施形態（図１及び図６）と同等の構成部位においては、同じ参照符号を付して、その詳細な説明は省略する。
【００５６】
この第１の変形例は、真空度が異なる２つの真空採血管４１，４４を連結させてフィルタ部を使用する構成である。真空採血管４１は、開口部が真空保持部１１で密閉され、底部には中空で先端が鋭利な針４２が取り付けられる。この針４２には、脱着可能な栓４３が気密に嵌装されている。この真空採血管４１は、毛細血管から採血するため、前述した第１の実施形態の真空採血管１と同等の真空度に保持されている。
【００５７】
一方、図８（ｂ）に示すフィルタを備える真空採血管４４は、図６に示したフィルタ部を備える真空採血管１と同じ構成であるが、真空採血管１よりも真空度を高めて保持されている。これは、フィルタ処理を短時間で処理したいため、吸引力が強くなるように設定されているものである。
【００５８】
このような構成において、まず、真空採血管４１は、採血部３を用いて、皮膚下の毛細血管より採血を行う。次に、真空保持部１１上で栓４３を外して針４２を露呈する。この時、真空採血管４１が負圧状態であれば必要がないが大気圧状態であれば、真空保持部１１を簡単に塞いで針４２から血液８が垂れ出ないように工夫する。この針４２で真空採血管４４の真空保持部３７を貫通させて、真空採血管４１と真空採血管４４とを連結する。この連結により、内部が大気圧の真空採血管４１から真空状態の真空採血管４４に血液が吸い出されて、フィルタ部３６に送り込まれる。フィルタ部３６は、血液から血漿又は血清を分離採取して、真空採血管４４内の底部に貯留する。
【００５９】
本実施形態によれば、２本の真空採血管を用いることで、血球分離に適した真空度と採血に適した真空度を各々最適に設定することが可能となる。従って、採血後の血球分離を短時間で処理させることができる。なお、真空採血管４１と真空採血管４４の真空度は、連結時に真空採血管４４の方が相対的に高くなっていればよい。そのため真空採血管４１と真空採血管４４の未使用時の真空度が同程度であっても、採血により真空採血管４１の真空度は相対的に低くなるので真空採血管４４へ血液を送り込むことはできる。
【００６０】
図９（ａ），（ｂ）は、第２の変形例を示す。この第２の変形例の構成部位において、前述した第１及び第３の実施形態（図１及び図６）と同等の構成部位においては、同じ参照符号を付して、その詳細な説明は省略する。第２の変形例は、真空度が異なる２つの真空採血管４５，４６を連結させてフィルタ部を使用する構成である。
【００６１】
真空採血管４６は、前述した第１の変形例における真空採血管４１内の底部にフィルタ部３６と穴板３５ｂを設けた構成である。内部の真空度についても、毛細血管から採血するため、前述した第１の実施形態の真空採血管１と同等の真空度に保持されている。真空採血管４６は、第１の実施形態の真空採血管１と同等の構成であるが、真空度が真空採血管１よりも真空度を高めて保持されているほうが好ましい。これは、フィルタ処理を短時間で処理したいため、吸引力が強くなるように設定されているものである。
【００６２】
まず、真空採血管４５は、採血部３を用いて、皮膚下の毛細血管より採血を行う。次に、栓４３を外して針４２を露呈する。この時、針４２から血液８が垂れ出ないように工夫する。この針４２で真空採血管４６の真空保持部４７を貫通させて、真空採血管４５と真空採血管４６とを連結させる。この連結により、内部が大気圧の真空採血管４５から真空状態の真空採血管４６に血液が吸い出される。この吸い出しによって、真空採血管４５内のフィルタ部３６を素早く通り抜けて、血液から分離された血漿又は血清が、真空採血管４６の底部に貯留する。
【００６３】
微細針６による採血では、針孔内壁と血液との摩擦による溶血現象を避けるため、吸引速度をあまり上げることはできない。一方、フィルタ部３６による血漿又は血清の分離には所定の圧力がないと分離が極端に遅くなったり、進まなかったりする。
【００６４】
本実施形態によれば、採血する真空採血管であっても、底部に取り付ける中空針の針孔は十分に太くすることができ、吸引速度を上げても溶血の恐れはなく、血球分離処理を迅速に進めることが可能となる。また、真空採血管４５内で血球を分離した後で、血漿、血清を真空採血管４６に送り込むので、フィルタ除去の作業を必要とせず血漿及び血清の取出しが容易となる。
【００６５】
次に、第７の実施形態について説明する。  
図１０及び図１１に示す本実施形態の採血装置は、真空度が異なる２つの真空採血管５１，１とこれらを連結する連結用治具５３により構成される。尚、本実施形態の構成部位において、前述した第１及び第３の実施形態（図１及び図６）と同等の構成部位においては、同じ参照符号を付して、その詳細な説明は省略する。
【００６６】
図１０には、本実施形態の真空採血管５１と採血部３を示している。  
真空採血管５１は、開口には真空保持部１１が挿嵌され、底部にはゴム等で形成された中央部が薄膜化してある封止栓５２が設けられている。この真空採血管５１は、前述した第１の実施形態と同様に、採血部３を用いて毛細血管から採血を行う。
【００６７】
図１１（ａ）には、真空採血管５１と図６に示した内部にフィルタ部３６が設けられた真空採血管４４とを連結するための連結用治具５３の構成例を示す。本実施形態において、真空採血管４４は、真空採血管５１の真空度より高く設定されている。これは、フィルタ処理を短時間で処理したいため、吸引力が強くなるように設定されているものである。
【００６８】
連結用治具５３は、両側から真空採血管５１と真空採血管４４が挿入できるようなホルダ形状を成し、その中央に封止栓５２と真空保持部３７を貫通させるための先端が鋭利に切断された中空針５４，５５が備えられている。
【００６９】
図１１（ｂ）に示すように、連結用治具５３の両側から真空採血管５１の封止栓５２を中空針５４で貫通させた直後に、真空保持部１１を中空針５５で貫通する。この連結により、真空採血管５１内の血液は、中空針５４，５５を通じて真空採血管１に吸い出されてフィルタ部３６に滴下される。真空採血管５１の下部空間には、フィルタ部３６により血液から分離された血漿又は血清が貯留される。
【００７０】
以上説明したように、本実施形態によれば、血球分離過程で採血者は、被採血者の血液が付着する機会を無くすことができ、採血者に対する感染症等の危機性を回避することができる。また、遠心分離過程が無いため、液体摩擦による溶血現象が発生しない。
【００７１】
次に、第８の実施形態として、採血部に用いられている微細針の構成例について説明する。採血用の微細針の先端は、皮膚に刺さり易くするために、４５度乃至３０度に切断された穿刺面が形成され、一般的にはこの穿刺面に針孔（血液が取り込まれる開口部）が開口されている。  
図１２は、本実施形態の第１の例として、針の先端６３の穿刺面に針孔を開口せず、針側面に針孔６２を開口した例である。微細な内径の針は、皮膚に穿刺した際に、先端に設けられた針孔には皮膚片等が詰まり採血を阻害する恐れがあるが、針孔６２を針側面に開口させることにより、針孔６２が詰まる確率が低減し、効率よく血液を採取することが可能となる。
【００７２】
図１３は、本実施形態の第２の例として、針孔が開口された針先６５において穿刺面からスリット状の溝６６が針側面に形成された構成である。
【００７３】
この第２の例によれば、皮膚に微細針を穿刺した際に、針孔に皮膚片等が詰まっても、側面にスリット状の溝６６の隙間から採血が可能となるため効率よく血液を採取することが可能となる。また図１２に示した第１の例よりも容易に形成可能なため、安価に形成することが可能となる。
【００７４】
図１４は、本実施形態の第３の例として、針自体を多孔質材料で形成した構成である。例えば、セラミック材料に微細な樹脂ビーズ等を添加して針状成型した後、焼成する。この製作工程により、樹脂ビーズ部が空孔となった多孔質セラミックによる針が作製される。本実施形態の微細針は、針先の針孔に皮膚片等が詰まっても、針側壁面から血液を吸引採取することが可能となるため、効率よく血液を採取することが可能となる。
【００７５】
図１５は、本実施形態の第４の例として、針６９の穿刺面に開口された針孔を気密に封止するように真空封止用の膜７０を形成したものである。膜材質としては、例えばポリ乳酸、にかわ、でんぷん、タンパク質、水あめ等から成る生体分解性樹物質で形成されている。
【００７６】
一般の真空採血では後端にゴムチューブ等をつけた中空針を刺した後、真空採血管を針後端に刺すことで採血を開始する。この時ゴムチューブは折りたたまれた状態となる。ゴムチューブ等をつけるのは針刺し時点での血液の漏れを防止するためであるが、真空採血管に連結した後に折りたたまれたゴムチューブの弾性により採血管が外れてしまうことがある（キックバック現象）。キックバック現象が起こると採血が途中で中断してしまう溜め、安定した採血を行うことができなくなる。
【００７７】
第４の例における微細針６９は、先端に真空封止用の膜７０を形成しているため、例えば図１において、真空採血管１と採血部３を予め連結させておくことが可能である。採血の際に、皮膚への穿刺によって先端の膜が破れるため、真空採血が可能となるため、前述した様な穿刺時の血液漏れは発生せず、キックバック現象による採血不良も防止することができる。
【００７８】
また、多数の微細針を用いて真空吸引にて採血を行う場合、すべての微細針が皮膚に刺さらないと、針孔から空気が吸引され、真空状態からいちはやく大気状態となり、採血が行えなくなってしまう。第４の例のように、真空封止用の膜が針先端に形成されていれば、皮膚を貫通しない針からの真空漏れが防止できるため、多数針を用いても安定した真空採血が可能となる。さらに真空封止用の膜は生体分解性材料で構成されているため、皮膚貫通時に膜が破れて体内に残っても危険は無い。
【００７９】
次に、第９の実施形態として、採血部に用いられている微細針の配置例について説明する。  
図１６は、本実施形態の第１の例として、微細針の針孔の法線方向の向きが一定に揃わないように配置された例である。  
各微細針の針孔は、４５度乃至３０度に切断された穿刺面に設けられている。各微細針の穿刺面が全て同じ方向を向いている場合には、採血しやすくするために血管の方向に沿うなどの正確な位置決めを行う必要がある。本実施の形態の第１の例では、複数の微細針の針孔それぞれが一定の方向を向かずバラバラな方向を向いているため、血管に正確に位置決めする必要なく、いずれかの微細針が血液を針孔に導く可能性が高くなり、効率よく血液を採取することが可能となる。
【００８０】
以上のように構成した複数の微細針を用いることで、血管を捜して針を刺さなくてもいずれかの針の針孔が穿刺により傷ついた毛細血管から血液を効率的に採取することが可能となり、微細針であっても多量の血液を短時間に効率的に採取することが可能となる。
【００８１】
図１７は、本実施形態の第２の例として、複数の微細針を台座に配置する際に、中央に向かい最も長くなる三角の凸状に配置している。このように構成することにより、針刺し深さを厳密に規定しなくとも、いずれかの針先端が血管部にあたる確率が高まるため、容易に採血可能となる。
【００８２】
また凸形に尖形配置される微細針は、皮膚に穿刺される際に、長いものから順次刺さる。このため、微細針を水平に一列に配置し一度に穿刺されるものに比べて、針刺し圧力が低くても容易に皮膚に穿刺することが可能となる。この例では、一列の微細針の配置を示しているが、３次元におけるピラミッド型や鉛筆の先端のように、面内中央の微細針が最も長くなるような垂体形状に微細針を配置してもよい。図１７に示す本例では、微細針の穿刺面が一定の方向を向くように配置されているが、特に限定されているものではなく、図１６に示したようにランダムに配置しても構わない。針孔の向きを揃えれば穿刺において皮膚への接触面積を最小にでき、穿刺圧力を低減できる。一方、針孔向きをランダムに配置すれば、厳密に血管部に微細針を穿刺させなくとも、いずれかの微細針が血液を中空孔に導くため、効率よく血液を採取することが可能となる。
【００８３】
図１８は、本実施形態の第３の例として、複数の微細針を台座に配置する際に、中央に向かい微細針の長さが最も短くなる漏斗形の凹状に配置している。
【００８４】
このように構成することにより、針刺し深さを厳密に規定しなくとも、いずれかの針先端が血管部にあたる確率が高まるため、容易に採血可能となる。また針形成面の外側に配置した微細針が先に刺さるため、内側の皮膚は盛り上がり、内側に形成した針が皮膚に刺さりやすくなる。従って微細針の皮膚への貫通不良による真空リーク発生を防止することできる。この例では、一列の微細針の配置を示しているが、例えば逆ピラミッド型や漏斗形のように、面内中央の微細針が最も短くなるような逆垂体形状に微細針を配置してもよい。図１８に示す本例では、微細針の針孔における開口面が一定の方向を向くように配置されているが、第１の例と同様にランダムに配置しても構わない。
【００８５】
図１９は、本実施形態の第４の例として、複数の微細針を台座に配置する際に、微細針の長さが一方の外端から他方の外端に向かって徐々に針長さが短くなるよう配置している。この時の針長さ変化は、図示する角度αが３０度乃至４５度程度に形成されている。
【００８６】
このように構成することにより、穿刺の深さを厳密に規定しなくとも、いずれかの針先端が血管部にあたる確率が高まるため、容易に採血可能となる。
【００８７】
また斜めに尖形配置される微細針は、皮膚に穿刺される際に、長いものから順次、針刺されるため、微細針を水平に一列に配置し一度に穿刺されるものに比べて、穿刺圧力が低くても容易に皮膚に刺すことが可能となる。この例では、一列の微細針の配置を示しているが、複数列に重ね合わせて、面内で一方の外端から他方の外端に向かって徐々に針長さが短くなるように微細針を配置してもよい。また図１９では、針孔の向きは一定方向に揃えてあるが、第１の例と同様にランダムに配置しても構わない。
【００８８】
図２０は、本実施形態の第５の例として、複数の微細針を台座に配置する際に、長さが異なる複数の微細針を束として、複数箇所に均等又は不均等に離間させて配置している。不均等に離間させて配置する場合は、例えば、中央側を周辺側よりも離間する距離を近づける等が考えられる。この例では、中央の微細針の長さが最も長い垂体形状に配置している。このように構成することにより、複数の針孔の微細針の長さ方向の位置がそれぞれ異なるので、第２の例の構成による効果に加えて、さらに、いずれかの微細針が血管に当たる確率が高まるため、穿刺位置、穿刺の深さを規定することなく容易に採血可能となる。尚、この配置において、穿刺面の向きを一方向に揃えてもよいし、異なる方向に連結してもよい。
【００８９】
図２１は、本実施形態の第６の例として、複数の微細針を台座に配置する際に、針孔の向きを揃えていない複数の微細針を束として、複数箇所に均等又は不均等に離間させて配置している。不均等に離間させて配置する場合は、例えば、中央側を周辺側よりも離間する距離を近づける等が考えられる。このように構成することにより、第１の例の構成による効果に加えて、さらに、いずれかの針が血管に当たる確率が高まるため、穿刺位置、穿刺の深さを規定することなく容易に採血可能となる。尚、前述した第５の例と本第６の例を組み合わせた構成により、複数の長さが異なり且つ微細針の開口面がバラバラな配置により、経験が無く又不慣れな採血者においても、適正に所望する血液量の採取を実施することが可能となる。尚、この配置において、長さを揃えてもよいし、異なる長さであってもよい。
【００９０】
次に、第１０の実施形態として、採血部の構成例について説明する。  
図２２（ａ）は、本実施形態の第１の例として、鋭利に切断された針孔（皮膚穿刺端）８３ｂから所定長さのところで微細針外径が太くなる段差８３ａをもつ複数の微細針８３と、複数の微細針８３が固定される台座８２と、微細針より太い中空針８４とを有する採血部８１の構成を示している。
【００９１】
このように構成することにより、微細針が穿刺された際に、段差８３ｂがストッパ機能となり、微細張りの皮膚への進入が一旦停止する。従って、微細針を所定長さ以上には穿刺できないため、採血針が移動する距離も規定される。そのため、採血針をどの程度穿刺すべきかを把握しておらず、経験が無く又不慣れな採血者においても穿刺することができ、採血に対する不安が解消される。
【００９２】
また図２２（ｂ）は、本実施形態の第２の例として、複数の微細針が固定された台座の外周部に、穿刺の深さに規定される高さのストッパ部位８９を設けた構成を示している。ストッパ部位８９によって微細針における穿刺の深さが規定されるため、その深さを厳密に規定することなく、経験が無く又は不慣れな採血者においても穿刺することができ、採血に対する不安が解消される。
【００９３】
次に、第１１の実施形態について説明する。  
図２３（ａ）乃至図２３（ｃ）に示す本実施形態の採血装置は、真空採血管を保持するホルダを兼用する連結保持機構と毛細血管を検出する血管検出機構とを有している。尚、図２３（ａ）乃至図２３（ｃ）は、図２４におけるＡ−Ａ断面を示している。図２４は、近赤外光の照射部と受光部の配置例を示している。図２５は、血管検出機構のブロック構成を示している。ここで、本実施形態の構成部位において、前述した第３の実施形態における図３（ａ）乃至図３（ｄ）に示す構成部位と同等のものには同じ参照符号を付して、その説明を省略する。本実施形態の連結保持機構は、第３の実施形態と同等であるため、説明を省略する。
【００９４】
図２３（ａ）に示す構成において、フード部２５が取り付けられたホルダ部１００の端面には、フード部２５の内部から皮膚表面９に近赤外光を照射する近赤外光照射部１０１と、同様なホルダ部１００の端面の別の箇所には、近赤外光照射部１０１から照射された近赤外光で皮下の散乱光を受光する受光部１０２とが設けられている。また、ホルダ部１００は、真空採血管と真空針とを保持するものであって、この近赤外光照射部１０１及び受光部１０２と、採血針との位置関係を固定している。
【００９５】
近赤外光照射部１０１には、少なくとも光源１０１ａ、レンズ１０１ｂ及び偏光板１０１ｃが内蔵されている。光源１０１ａは、表皮組織は透過して真皮組織で散乱される近赤外線等の長波長光を発する光源を用いることが好ましい。光源１０１ａは、例えばＬＥＤ等を用いることができる。光源１０１ａには、ホルダ部１００に内蔵された電池等を含む電源制御回路１０３により点灯が駆動制御される。図示しないが、ホルダ部１００の外装に点灯オンオフ用のスイッチ等を設けてもよい。また、赤外線センサを備えて、皮膚の温度を検出することにより、検出信号を出力する生体感知センサを内蔵させて、フード部材端面を皮膚表面に近づけると光源１０１ａが点灯するように構成してもよい。
【００９６】
また受光部１０２は、撮像素子（例えば、固体撮像素子）やフォトダイオードからなる受光素子１０２ａ、結像レンズ群１０２ｂ、受光部偏光板１０２ｃにより構成されている。
【００９７】
受光部１０２は、近赤外光照射部１０１の偏光板１０１ｃと受光部１０２の偏光板１０２ｃは振動方向が直行する関係となるように配置されている。
【００９８】
近赤外光照射部１０１の光源１０１ａからの照射光は、偏光板１０１ｃにより振動方向が一方向に制限されて皮膚表面９に照射される。そして、受光部１０２には偏光板１０２ｃが配置されているが、これは振動方向が偏光板１０１ｃとは直交するように構成されている。つまり、皮膚表面９での単純な反射光は、振動方向が偏光板１０２ｃとは直交することになり、偏光板１０２ｃによって遮蔽され、誤検出を防止する。
【００９９】
受光部１０２の駆動電源は、光源点灯用の電池と共用でもよく、動作開始は前述した外装に設けられたスイッチでもよい。また、受光部１０２の画像処理回路１０４がホルダ部１００内に内蔵されている。
【０１００】
図２４には、フード部２５側から見た近赤外光照射部１０１と受光部１０２が配置された位置関係を示している。近赤外光照射部１０１と受光部１０２とは、一直線上に配置せず、所定の角度βを持たせて、ホルダ部１００の端面に設置されている。
【０１０１】
また、近赤外光照射部１０１から照射され生体表面から反射された光が直接、受光部１０２に入らないように、（図２３（ａ）に一点鎖線にて示された）正反射角度よりもずらして、受光部１０２が配置されている。
【０１０２】
本実施形態の血管検出機構は、皮膚表面へ偏光光を照射し、その反射光を偏光と振動方向が直交する偏光フィルタにより分離する。これにより、皮膚下の組織における散乱により偏光が解消された後方散乱光や複屈折光等のみを得ることができ、皮下の毛細血管などの光学的散乱性を有する組織のパターンを検出することができるものである。可視光の赤や近赤外線等の長波長の帯域では生体の透過性が高くなる。このため、皮下の真皮の毛細血管網にて、照射光が血流により散乱される。
【０１０３】
図２５（ａ）に示されるように、画像処理回路１０４は、信号処理回路１０５と判定回路１０６とから構成されている。信号処理回路１０５は、受光素子１０２ａで検出された皮下の毛細血管を識別・抽出する信号処理を行い、判定回路１０６は毛細血管の密集度がある一定以上集まっていることを判定する。この判定回路１０６が判定する毛細血管の密集度について説明する。図２５（ｂ）は、一例として近赤外光により抽出された手の一部の毛細血管の画像を示している。ここで、毛細血管の密集度が高まっている部分とは、毛細血管が交差している部分、又は毛細血管が分岐している部分であり、受光部１０２の撮像素子の受光面の大きさや感度や画角（撮像範囲）により異なるが例えば、撮像画面全体の平均面積に対して、毛細血管が３０％以上の領域が含まれる場合には、その領域を密集度が高まっている部分と判定する。例えば、図２５（ｂ）に示すように四角枠１０８内の全体面積に対して、毛細血管部分が割合として約４０％を占めている場合には密集度が高いと判定される。また、面積ではなく、四角枠内の平均輝度を算出し、予め定めた基準値と比較し、基準値以下であれば、毛細血管が多いために平均輝度を下げていると判定することもできる。この場合の受光部１０２はフォトダイオード等を用いて、より安価に構成することができる。
【０１０４】
そして、告知部１０７は、外装に設けられた音源又は発光素子（例えば、ＬＥＤ）又は振動部材（バイブレータ）のいずれか１つ又は組み合わせて構成される。これらを動作させて、毛細血管の密集度が高い箇所を採血者に告知する。実際の動作では、皮膚表面にフード部２５の端面を当接させながら走査し、毛細血管の密集度が高い位置を音又は光により採血者に対して告知する。
【０１０５】
以上のように構成された採血装置は、次のような動作を行う。図２３（ａ）は、採血に好適する毛細血管を検出している状態を示している。まず、近赤外光照射部１０１が被採血部位に光を照射し、被採血部位で反射された光を受光部１０２で受光する。受光した光に基づいて画像処理回路１０４で判定し、密集度が高まっていると判定された場合には、告知部１０７で告知する。この告知を受けて採血者が採血動作を行う。図２３（ｂ）は、皮膚表面の毛細血管１０に微細針６を針刺しする様子を示している。真空採血管２１の底部を手等でホルダ部１００内に押し込むと、ガイド部１２の磁力による保持状態が解除され、中空針７が真空保持部３７の凹底部に当接した状態で採血部３が移動される。この移動に伴い、図２３（ｃ）に示すように、微細針６がフード部２５より進出して皮膚９へ穿刺する。このとき、微細針の挿入抵抗が、太い中空針７が真空保持部３７のゴム栓を貫く挿入抵抗よりも小さい関係となっている。その後、連結保持部２４が縮み、予め設定した位置即ち、毛細血管に到達した位置で穿刺を停止させる。
【０１０６】
さらに、真空採血管２１の下部を手等でホルダ部１００内に押し込むと、中空針７が真空保持部３７を貫通して、真空による吸引力で血液が真空採血管２１内に吸引される。図２３（ｃ）には、皮膚表面の毛細血管１０から血液を採血する様子を示している。採血が完了後、真空採血管２１をホルダ部１００内に押圧するのを止めると、連結保持部２４の弾性力により、真空採血管２１が押し戻される。真空採血管２１が押し戻されることにより、微細針６が皮膚表面から抜け出て、フード部２５内に格納される。
【０１０７】
そして、ガイド部１２のつば部がホルダ端面に当接して、ガイド部１２がホルダ端面に当接した状態に保持され採血針の移動は停止する。その後、真空採血管は、連結保持部２４の弾性力により、さらに後退して、真空保持部３７から太い中空針７が抜き取られる。
【０１０８】
その後、採血者はホルダ部１００の下部より、真空採血管２１のみを下部方向に引き出して、連結保持部２４から切り離して取り出す。これにより、微細針６は、フード部２５内に収容されたままであるため、採血者は微細針６に触れることなく、安全に真空採血管２１を回収することができる。
【０１０９】
尚、採血の終了は、視認による採血量の確認の他に、タイマを搭載して、予め設定された時間が経過した際に採血者に告知してもよい。又は、発光素子と受光素子からなるセンサをホルダ部の側面に対向するように配置し、血液によりセンサ光が遮断された際に、音や光で採血終了を告知してもよい。
【０１１０】
また図２４に示したように、近赤外光照射部１０１と受光部１０２が光学的な正反射位置に配置されていないため、検出に不用とされる生体表面からの反射光による誤検出を防止する。
【０１１１】
本実施形態においては、一般の生体認証等のように生体内部パターンを詳細に解析することは必要ではない。このため、受光部１０２に併設される判定回路１０６は単純な濃淡解析（撮像素子であれば２値化処理後の全画面の輝度合計値が一定値を超えたかどうかを解析、フォトダイオードであれば信号強度がある一定値を超えたかどうかを解析）を行えば良く、低価格・小型・低消費電力で実現できる。
【０１１２】
本実施形態によれば、大型・高価な毛細血管検出装置などを必要とせず、ハンドキャリできる小型のホルダ部１００により、採血時のコストと可動性を確保できる。
【０１１３】
また、採血者が毛細血管の密集度が高い位置を選択的に狙って、微細針を挿入できるため、容易に多量の採血を実現でき、採血時間を短縮できる。さらに、密集度の高い位置を装置が検出するので、静脈採血のような熟練度に左右されず、簡便に、採血を実施できる。
【０１１４】
また、本実施形態では、ホルダ部１００によって近赤外光が照射される範囲と採血針との位置関係が固定されているので、判定結果を受けて改めて位置決めすることなく採血を行うことが可能である。さらに、複数の微細針は、血管を検出する機構が血管の密集度を検出する範囲と等しい又は、その範囲よりも広い範囲について採血を行う。そのため、複数の微細針は血管検出機構の密集度が高いと判断した範囲を確実に含んで採血を実施することができる。これにより、血管の検出を行った後に微細針を挿入する位置を決めるという作業を必要とせずに、採血を実施できる。
【０１１５】
さらに、毛細血管の密集度が音や光により採血実施者に告知されるため、複雑な行動を必要とせず、簡便である。フィルタを内蔵する構成においては、採血後に真空採血管への押圧を止めると、連結保持部の弾性力により、真空採血管が押し戻され皮膚から微細針が抜かれて、直後に空気が微細針内に流入し、採血管の上部空間の真空度を大気圧側に戻す。このため、フィルタを挟んだ上部空間と下部空間に大きな圧力差が生じ、血液の血清分離が短時間で実施される。
【０１１６】
また、本実施形態に構成においては、近赤外光照射部と受光部を内蔵したホルダーは再利用できるため、使用したフード部と採血部と真空採血管２１とを新たなものに交換するだけで再使用ができ、ランニングコストが低減できる。
【０１１７】
次に、第１２の実施形態について説明する。  
図２６（ａ）及び図２６（ｂ）に示す本実施形態の採血装置は、真空採血管を保持するホルダを兼用する連結保持機構と毛細血管を検出する血管検出機構とを有している。図２６（ａ）には採血装置の断面構成を示す。図２６（ｂ）は、血管検出機構における近赤外光照射部と受光部の配置例を示す。本実施形態は、前述した第１１の実施形態における血管検出機構の近赤外光照射部の光照射の構成が異なっている。ここで、本実施形態の構成部位において、前述した第１１の実施形態における構成部位と同等のものには同じ参照符号を付して、その説明を省略する。第１１の実施形態とは異なる部分について説明する。
【０１１８】
本実施形態は、血管検出機構の近赤外光照射部がフード部を利用して照明光を伝搬させる構成である。
【０１１９】
ホルダ部１００に設けられるフード部２５は、光導波路部材として利用され、光学的に透過する材料、例えばガラス、透明樹脂等により形成される。フード部の外面と内面の側面には、例えばアルミニウム薄膜からなる光を反射する膜がコーティングされている。この薄膜成膜は、ガラス製のフード部であれば、半導体製造技術に用いられている蒸着法やＣＶＤ法やスパッタリング法等の手法を用いることができる。また、樹脂製のフード部であれば、メッキ法等の手法が適用できる。また、フード部２５の端面は、光の入射と出射が行われるため反射膜は形成されていない。
【０１２０】
本実施形態では、図２６（ｂ）に示すように、ホルダ部１００の端面には３つの近赤外光照射部１０１，１１１，１１２と１つの受光部１０２が設けられている。勿論、近赤外光照射部は、その配置される数は１つ以上であれば、制限されるものではない。また、本実施形態では、図２６（ｂ）に示すように、３つの近赤外光照射部１０１，１１１，１１２は、９０度間隔で３箇所に配置され、受光部１０２は前述した第１１の実施形態と同様に、所定の角度βを有して配置されている。また、近赤外光照射部１０１，１１１，１１２に対して、皮膚表面の正反射角度からずらして、受光部１０２が配置されている。また、近赤外光照射部が複数設置されるときには、内部の光源は、生体組織の散乱波長に合わせて、複数波長の光源とする。
【０１２１】
また、それぞれの近赤外光照射部１０１，１１１，１１２は、ホルダ部１００側のフード部２５の後端面から近赤外光が導入され、前述した反射膜により反射されつつ拡散して、フード部２５の先端部からリング照明として皮膚表面９に投影される。
【０１２２】
以上説明したように、本実施形態によれば、皮膚表面に複数の波長を有する近赤外光をリング照明として照射することができる。皮下の毛細血管に複数方向から近赤外光が照射されることになり、より検出精度が向上して、誤検出を防止することができる。
【０１２３】
また、採血を行う被採血対象は、生体の個体差及び人間・動物の種別により、毛細血管からの散乱光を検出する最適な波長がずれる場合がある。このため、複数の波長の光源を搭載した照射部に変更することにより、その誤差をさらに、低減することができる。さらに本実施形態では、１つの受光部を配置した例について説明したが、受光部においても複数配置し、検出精度を向上させることができることは言うまでもない。従って、より確実に、皮下の毛細血管を検出することができ、より多様な生体の個体差と種類に対応することができる。
【０１２４】
次に、第１３の実施形態について説明する。  
図２７は、本実施形態の採血装置から取り外された採血後の真空採血管を保管するための採血管保管容器を示している。
【０１２５】
図２７に示す採血管保管容器１２０は、上部構造体１２３と下部構造体１２１が温度遮断部（ゴム等）１２２を介して連結された二対構造である。上部構造体１２３は、上方（下部構造体１２１と連結しない側）が開口され、この開口を塞ぐように脱着可能な蓋１２４が螺合されている。
【０１２６】
下部構造体１２１の底面には、ペルチェ素子１２６が内蔵される。上部構造体１２３の側面周囲には、リング状ヒータ１２５が内蔵されている。また上部構造体１２３の側面には、上部構造体１２３内の温度を測定するための温度センサ１４１が設けられている。温度センサ１４１は一般的な熱電対タイプを用いることができる。勿論、下部構造体１２１にも、その温度センサ１４１を設けてもよい。
【０１２７】
採血管保管容器１２１は、温度の伝達効率に優れた金属製（アルミニウム合金、真鍮又は、銅等）が望ましいが、軽量性の観点から樹脂部材でも可能である。上部構造体１２３下部構造体１２１及び温度遮断部１２２の内部には、真空採血管をガタツキ無く嵌装する収納穴が形成されている。但し、上部構造体１２３の内部は、収納された真空採血管１が取り出せるように、指が入るためのスペースが確保されている。
【０１２８】
図示していないがヒータ１２５とペルチェ素子１２６を駆動するための電源回路やセンサが採血管保管容器の外部に設置される。これらは小型に構成して、採血管保管容器内に、内蔵されていてもよい。また、ヒータ１２５とペルチェ素子１２６による温度調整が行われ、真空採血管の温度が設定温度に至った場合に、その熱を感知する温度センサと、その検知結果を音又は、光又は、感熱材の色変化で告知する部位を設けてもよい。
【０１２９】
図２８（ａ）乃至図２８（ｃ）を参照して、第１３の実施形態に係る採血管保管容器の使用方法について説明する。  
まず、例えば図６に示した第６の実施形態の採血装置を用いて採血を行い、内部にフィルタを持つ真空採血管１から採血部３を取り出す。または、図８（ｂ）に示す第６の実施形態の第１の変形例におけるフィルタを備える真空採血管４４を用いる。この時、真空採血管１，４４はフィルタによって上部空間と下部空間とに分けられており、少なくとも上部空間は大気圧に近い状態となっている。
【０１３０】
取り出した真空採血管１は、血球分離操作の完了を待つことなく、図２８（ａ）に示すように採血管保管容器１２０に収納され、蓋１２４で閉じて、密封状態にする。上部空間には血球が分離される前の血液が保持されている。
【０１３１】
その後、図２８（ｂ）に示すように、採血管保管容器１２０の上部構造体１２３側面のヒータ１２５と、下部構造体１２１底面に設置したペルチェ素子１２６をそれぞれ駆動する。これらの駆動により、真空採血管１は、下部空間が冷却され且つ上部空間が加温されて、下部空間は例えば４度以下、上部空間は例えば３７度程度に保持される。この結果、真空採血管１の上部空間の気体は膨張し、下部空間の気体は収縮する作用が働くことで、上部空間の圧力が下部空間の圧力に較べ相対的に高くなり、上部空間と下部空間の圧力差を大きくすることができる。この圧力差により、上部空間にある血液を積極的に下部空間に押し流すことになり、下部空間に血球が分離された血液が収納される。以上によって、採取した血液の血球分離を短時間に、手を触れることなく安全に完了することができる。
【０１３２】
採取した血液の血球分離が完了後、図２８（ｃ）に示すように、ヒータ１２５及びペルチェ素子１２６の駆動を停止する。駆動停止は、予め電源回路に内蔵されたタイマにて自動的に停止しても良いし、採血管上部空間の血液量が所定量以下になったところを検出して停止させても良い。また、ペルチェ素子１２６の駆動は、血球分離が完了後もそのまま、検査装置１に試料をかけるまで継続しても良い。
【０１３３】
このようにペルチェ素子１２６の駆動を継続させることにより、保温冷却容器全体が低温に維持されて、採取した検査用血液の劣化が防止される。
【０１３４】
以上説明した本実施形態によれば、採血管保管容器内で真空採血管の上部空間と下部空間の圧力差を大きくして、上部空間の採血された血液がフィルタを通して積極的に下部空間に押し流すことになり、血液の血清分離処理を短時間で且つ採血者や検査者の手に触れることなく安全に完了することができる。
【０１３５】
真空採血管の真空保持部を取り外したり、新たに穴を開けて上部空間に外部の空気を流入させることで血清分離を短時間化させることはできるが、クリーンルーム以外で行った場合には、その雰囲気内で空気中に浮遊するゴミや細菌やカビが入り込む虞があり、望ましくはない。一方、本実施形態による温度差を利用した血清分離の短時間化は、外部の空気は入り込みづらく、採血後の血清の清浄度を高いまま、維持することができる。
【０１３６】
また、従来の無遠心採血管では血球分離が完了しないと保管収納することは出来なかったが、本実施形態の採血管保管容器を用いれば、血球分離の完了を待つことなく冷却保管容器に入れることができるので、作業性が向上する。さらに保温冷却容器を用いることにより、郵便や宅配等の輸送を行うことが可能となる。また、真空採血管を輸送時の破損から防止することができる。さらに、採血者に対して、採取した血液が完全に隔離されるため、安全が確保できる。なお、保温冷却容器は、使用後に洗浄すれば、再利用することができ経済的である。
【０１３７】
次に、第１３の実施形態の変形例について説明する。  
前述した様に第１３の実施形態においては、上部構造体１２３と下部構造体１２１の間に温度差を発生させることによって真空採血管１の上部空間と下部空間との間に圧力差を発生させている。従って、上部構造体１２３と下部構造体１２１との間に、温度差を発生させれば良く必ずしもヒータ１２５とペルチェ素子１２６の両方を設ける必要はない。
【０１３８】
図２９（ａ）に示す第１の変形例として、ヒータを設けていない上部構造体１２７と、ペルチェ素子を設置した下部構造体１２１とによる構成でもよい。または、図２９（ｂ）に示す第２の変形例として、ヒータ１２５を設置した上部構造体１２３と、ペルチェ素子を設けていない下部構造体１２８とによる構成でもよい。
【０１３９】
また、温度差による圧力変化以外の方法を用いた第３の変形例もある。図２９（ｃ）に示すように、窒素ガスや炭酸ガス等を封入した小型ガスボンベ１３０と調節バルブ１３１を用いガスを真空採血管１に注入して、上部空間の圧力を相対的に高くしてもよい。この時、調節バルブ１３１に接続するガス供給配管１３２の先端を真空採血管１の真空保持部に差し込む。このガス供給配管１３２にも図示しないエアーフィルタを取り付けて、小型ガスボンベ１３０内のゴミが入り込まないようにすることが好ましい。尚、ガス供給配管１３２の途中に空気中に浮遊するゴミや細菌やカビを排除できるエアーフィルタを設ける構成においては、調節バルブに代わってリークバルブを用いて、大気開放することも考えられる。
【０１４０】
以上説明した第１乃至第３の変形例であっても第１３の実施形態の効果に準ずる効果を得ることができる。
【０１４１】
次に、第１４の実施形態について説明する。  
本実施形態は、前述した各実施形態における採血装置を被採血者の採血箇所（例えば、腕の皮膚）に長時間に亘り保持させて採血を実施する採血装置保持具である。  
図３０（ａ），（ｂ）には、本実施形態の採血装置保持具の構成例を示す。ここで、図３０（ａ）は、本実施形態の採血装置保持具を被採血者の腕に装着した状態を示している。採血装置保持具は、微細針を腕に付勢し穿刺状態で保持する付勢部１５２と、この付勢部１５２を被採血者の皮膚上に固定する固定部１５１により構成される。固定部１５１は、ベルトにより構成され、腕や足等に巻きつけられる。ベルトには微細針用の穴が開けられ、付勢部１５２が固着されている。固定部１５１は、ベルトの他にも、粘着テープ、接着剤または粘着ゲル等を用いて皮膚に直接、粘着固定させてもよい。さらに、吸盤等で負圧状態を作り、吸着による固定でも構わない。
【０１４２】
付勢部１５２は、内壁に雌ネジの切られた筒状部１５３と、固定部１５１へ固着させるための固着部１５４と、筒状部１５３から延出し開閉可能な少なくとも２本の弾性ストッパ部１５５と、筒状部１５３側面上を移動可能で弾性ストッパ部１５５を固定する枠状固定具１５６と、枠状固定具１５６を弾性支持する弾性部材１５７とで構成される。
【０１４３】
付勢部１５２は、例えば金属材料または、樹脂材料等または、これらの組み合わせにより構成される。また固定部１５１は、例えば皮、塩化ビニール、樹脂または、金属等により構成される。弾性部材１５７は、スプリングコイルバネ、板バネ、ゴム等により構成される。
【０１４４】
図３１には、本実施形態の採血装置保持具に適用する採血装置の構成例を示す。  
この採血装置１７０は、図３に示した第３の実施形態におけるホルダ部に装填される真空採血管にフィルタを備えた構成である。ここで、本実施形態の構成部位において、前述した図３に示す構成部位と同等のものには同じ参照符号を付して、その説明を省略する。
【０１４５】
採血装置１７０は、前述したホルダ部２３と、弾性力を有する連結保持部２４と、採血部３と、フード部１６３とで構成される。
【０１４６】
採血部３は、ホルダ部２３のガイド穴に移動可能に嵌装される第１のガイド部１６１と、第１のガイド部１６１の内部で台座５をカバーし中空針７に嵌装される第２のガイド部１６２と、を有している。また、フード部として外壁に雄ネジが形成されたフード部１６３が設けられている。真空採血管２１内にはフィルタ部３６が設けられている。
【０１４７】
図３２（ａ）乃至図３２（ｆ）を参照して、本実施形態の採血装置保持具を用いて採血を行う工程について説明する。
【０１４８】
図３２（ａ）は、固定部１５１を図３０（ａ）に示すように、被採血者の腕に固定した後、筒状部１５３外側に設けられた枠状固定具１５６を押し下げて、弾性ストッパ部１５５を拡げる。採血装置１７０を筒状部１５３内に挿入し、フード部１６３の雄ネジを筒状部１５５の雌ネジにかみ合わせて螺挿して、採血装置１７０を付勢部１５２に固定している。この時、フード部１６３の端面は、被採血者の腕に当接している。さらに図３２（ｂ）に示すように、枠状固定具１５６が弾性部材１５７に押し上げられて元の位置に戻ると共に、弾性ストッパ部１５５が閉じて、球形状の先端部１５５ａが真空採血管２１に弾性力を持ちながら押し当てられる。
【０１４９】
次に真空採血管２１を指で押し込むと、真空保持部１１のゴム栓が中空針７に当接した状態で採血部３を押し下げ、微細針６が皮膚を穿刺する。さらに真空採血管２１を押し込むと、図３２（ｃ）に示すように、真空保持部１１を太い中空針が貫通して、血液が真空採血管内に吸引されると共に、弾性ストッパ部１５５の先端部分が閉じて、真空採血管底部に弾性ストッパ部１５５に保持される。この保持により、穿刺状態の微細針６が皮膚から抜けることを防止し、採血者が真空採血管２１の押し込みを維持しなくとも、採血を継続させることができる。
【０１５０】
そして、採血量を確認しつつ所定時間の経過後に、図３２（ｄ）に示すように、枠状固定具１５６を押し下げ、弾性ストッパ部１５５を再び拡げる。この弾性ストッパ部の広がりにより、採血装置への付勢が解除され、真空採血管２１及び微細針６が連結保持部２４の弾性力により腕から遠ざかる方向に押し上げられて、穿刺前の元の位置に戻る。その後、図３２（ｅ）に示すように、ホルダ部２３より真空採血管２１を取り出して、連結保持部２４より外す。真空採血管を取り外した後、図３２（ｆ）に示すように採血装置１７０を付勢部１５２から取り外すことで採血が完了する。
【０１５１】
なお本実施形態では、付勢部１５２への採血装置固定法としてネジ込みを用いたが、弾性力や固定バンド等を用いても構わない。また、付勢部の真空採血管保持機構として弾性力を用いたが、ネジ込み等により固定しても構わない。さらに、弾性ストッパ部の固定、解除機構等は本実施形態の枠状固定具に限定されるものではなく、種々の形状が適用でき、弾性ストッパ部の先端同士が連結する様な構成、例えば爪形状のフック部とその爪が嵌合するフック受け部とで構成されてもよい。
【０１５２】
また図示していないが、真空採血管の代わりに採血管を微細針に連結し、バンド部に固定されたマイクロポンプ等を採血管に接続することにより吸引採血しても構わない。このように構成することにより、より長時間に亘る採血が可能となる。さらに、図示していないが、採血装置のホルダ部の端面又はその近傍からフード部１６３内の皮膚に向かってアルコール等の消毒液が噴霧される機構を設けても良い。このように構成することにより、皮膚を容易に消毒できるため、衛生処置の手間が簡略化される。
【０１５３】
本実施形態における採血の終了は、前述した視認による採血量の確認の他に、タイマを搭載して、予め設定された時間が経過した際に採血者に告知する構成でもよい。又は、発光素子と受光素子からなるセンサをホルダ部の側面に対向するように配置し、血液によりセンサ光が遮断された際に、音や光で採血終了を告知する。また、弾性部材１５７を記憶形状合金を材料とするバネで構成し、さらに近傍にヒータを配置して、タイマによる設定時間に達した際に、その旨を告知し、さらにヒータを加熱して弾性部材１５７を縮ませて枠状固定具１５６を下げて、付勢部１５２の付勢を解除する構成でもよい。
【０１５４】
以上説明したように、本実施形態によれば、採血状態を維持したまま、被採血者の皮膚上に採血装置を長時間固定可能となるため、微細針を用いても十分な血液量を確保することが可能となる。従って、実用段階に至っていないマイクロＴＡＳ（Micro Total Analysis Systems）等による分析技術を追求することなく、従来から用いている市販装置にて分析が可能となるので、従来法との置き換えが容易である。また真空採血管や採血装置の固定、脱着は、容易に繰り返し行うことが可能であるため、採血装置保持具を一旦装着しておけば採血部を探す等の手間なく採血が可能となる。
【図面の簡単な説明】
【０１５５】
【図１】第１の実施形態に係る採血装置の全体構成例を示す断面図である。
【図２】第２の実施形態に係る採血装置の全体構成例を示す断面図である。
【図３】図３（ａ）乃至（ｄ）は、第３の実施形態に係る採血装置の全体構成例を示す断面図である。
【図４】第４の実施形態に係る採血装置の採血部の構成例を示す断面図である。
【図５】第５の実施形態に係る採血装置の全体構成例を示す断面図である。
【図６】第６の実施形態に係る採血装置の全体構成例を示す断面図である。
【図７】図７（ａ）及び（ｂ）は、第６の実施形態の採血装置に用いられるフィルタの構成例を示す図である。
【図８】図８（ａ）及び（ｂ）は、第６の実施形態の第１の変形例を示す図である。
【図９】図９（ａ）及び（ｂ）は、第６の実施形態の第２の変形例を示す図である。
【図１０】第７の実施形態に係る採血装置の採血側装置の構成例を示す断面図である。
【図１１】図１１（ａ）及び（ｂ）は、第７の実施形態に係る採血装置のフィルタ側装置の構成例を示す断面図である。
【図１２】第８の実施形態に係る採血部に用いられる微細針の第１の例の構成を示す図である。
【図１３】第８の実施形態に係る採血部に用いられる微細針の第２の例の構成を示す図である。
【図１４】第８の実施形態に係る採血部に用いられる微細針の第３の例の構成を示す図である。
【図１５】第８の実施形態に係る採血部に用いられる微細針の第４の例の構成を示す図である。
【図１６】第９の実施形態に係る採血部に用いられる微細針の第１の配置例を示す図である。
【図１７】第９の実施形態に係る採血部に用いられる微細針の第２の配置例を示す図である。
【図１８】第９の実施形態に係る採血部に用いられる微細針の第３の配置例を示す図である。
【図１９】第９の実施形態に係る採血部に用いられる微細針の第４の配置例を示す図である。
【図２０】第９の実施形態に係る採血部に用いられる微細針の第５の配置例を示す図である。
【図２１】第９の実施形態に係る採血部に用いられる微細針の第６の配置例を示す図である。
【図２２】図２２（ａ）は、第１０の実施形態に係る採血部の第１の構成例を示し、図２２（ｂ）は、その第２の構成例を示す図である。
【図２３】図２３（ａ）乃至（ｃ）は、第１１の実施形態に係る採血装置の全体構成例を示す断面図である。
【図２４】第１１の実施形態に係る採血装置の近赤外光照射部と受光部が配置された位置関係を示す図である。
【図２５】図２５（ａ）は、第１１の実施形態に係る採血装置の回路構成例を示すブロック図であり、図２５（ｂ）は、毛細血管の密集度について説明するための図である。
【図２６】図２６（ａ）及び（ｂ）は、第１１の実施形態に係る採血装置の全体構成例を示す断面図である。
【図２７】第１３の実施形態に係る採血装置を収容する採血管保管容器の全体構成例を示す断面図である。
【図２８】図２８（ａ）乃至（ｃ）は、第１３の実施形態に係る採血装置を収容する採血管保管容器の使用例について説明するための図である。
【図２９】図２９（ａ）は、第１３の実施形態に係る採血管保管容器の第１の変形例を示す断面図であり、図２９（ｂ）は、その第２の変形例を示す断面図であり、図２９（ｃ）は、その第３の変形例を示す断面図である。
【図３０】図３０（ａ）及び（ｂ）には第１４の実施形態に係る採血装置の採血装置保持具の構成例を示す図である。
【図３１】第１４の実施形態に係る採血装置保持具に適用する採血装置の構成例を示す図である。
【図３２】図３２（ａ）乃至（ｆ）は、第１４の実施形態に係る採血装置保持具の使用例について説明するための図である。
【符号の説明】
【０１５６】
１，２１…真空採血管、２，１１…真空保持部、３…採血部、４…ガイド部、５…台座、６…微細針、７…中空針、８…血液、９…生体表面（皮膚又は皮膚表面）、１０…毛細血管、１１…真空保持部、１２…ガイド部、１３，２４…連結保持部、２３…ホルダ部、２３ａ…段差部、２５…フード部、２６…マイクロ磁石、３３…吸引ポンプ、３４…吸引用接続具、３５…フィルタ支持部、３５ａ…円筒部、３５ｂ…穴板、３６…フィルタ部。
【図１】
2008099991.tif 000003
【図２】
2008099991.tif 000004
【図３】
2008099991.tif 000005
【図４】
2008099991.tif 000006
【図５】
2008099991.tif 000007
【図６】
2008099991.tif 000008
【図７】
2008099991.tif 000009
【図８】
2008099991.tif 000010
【図９】
2008099991.tif 000011
【図１０】
2008099991.tif 000012
【図１１】
2008099991.tif 000013
【図１２】
2008099991.tif 000014
【図１３】
2008099991.tif 000015
【図１４】
2008099991.tif 000016
【図１５】
2008099991.tif 000017
【図１６】
2008099991.tif 000018
【図１７】
2008099991.tif 000019
【図１８】
2008099991.tif 000020
【図１９】
2008099991.tif 000021
【図２０】
2008099991.tif 000022
【図２１】
2008099991.tif 000023
【図２２】
2008099991.tif 000024
【図２３】
2008099991.tif 000025
【図２４】
2008099991.tif 000026
【図２５】
2008099991.tif 000027
【図２６】
2008099991.tif 000028
【図２７】
2008099991.tif 000029
【図２８】
2008099991.tif 000030
【図２９】
2008099991.tif 000031
【図３０】
2008099991.tif 000032
【図３１】
2008099991.tif 000033
【図３２】
2008099991.tif 000034